(57)【要約】 【課題】  アーティスト名の冠詞「ＴＨＥ」、「Ｔｈｅ」又は「ｔｈｅ」等の有無に拘わらずに同一のアーティストについてソート可能な再生の技術を提供する。【解決手段】  再生方法は、アーティスト名を含む曲情報ファイルを記録するステップと、記録されたアーティスト名について、先頭の「ＴＨＥ」、「Ｔｈｅ」又は「ｔｈｅ」を除いた名称に基づいてソートするステップと、を備える。【選択図】  図２
2009004007.tif 000002
【特許請求の範囲】
【請求項１】
アーティスト名を含む曲情報ファイルを記録する記録部と、
前記記録部に記録されたアーティスト名について、先頭の「ＴＨＥ」、「Ｔｈｅ」又は「ｔｈｅ」を除いた名称に基づいてソートするシステム制御部と、
を備える、ことを特徴とする再生装置。
【請求項２】
アーティスト名を含む曲情報ファイルを記録するステップと、
記録されたアーティスト名について、先頭の「ＴＨＥ」、「Ｔｈｅ」又は「ｔｈｅ」を除いた名称に基づいてソートするステップと、
を備える、ことを特徴とする再生方法。
【発明の詳細な説明】
【技術分野】
【０００１】
本発明は、記録されたデータファイルについて、アーティスト名によりソート可能な再生装置の技術に関する。
【背景技術】
【０００２】
近年、音楽データ（曲データ）を、ＣＤ−ＤＡ（Compact Disc-Digital Audio）からリッピングしてＭＰ３（Moving Picture Experts Group Audio Layer 3）データ等に変換して、ハードディスク等の大容量記録媒体に記録することが一般的になっている。
【０００３】
記録媒体には、曲データファイル自体とともに、この曲データファイルを管理するための曲情報ファイルが記録媒体に記録されるのが一般的である。曲情報ファイルは、例えば、リッピング時に外部データベースから取得されたＣＤ−ＤＡのＴＯＣ（Table Of Contents）情報に対応する楽曲情報に基づいて作成される。或いは、ファイル作成者自らが入力する場合もある。曲情報ファイルは、記録媒体に記録されている曲データファイルのファイル名、ジャンル、アーティスト名、アルバム名、タイトル等の情報から構成される。
【０００４】
この曲情報ファイルを利用して、特定の曲データファイルの検索等が可能となる。例えば、記録媒体に保存された複数の曲データファイルについて、アーティスト名での検索を行うことにより、アーティスト毎の再生等が可能となる（例えば、特許文献１参照）。
【０００５】
【特許文献１】特開平１１−３１３７９
【発明の開示】
【発明が解決しようとする課題】
【０００６】
ここで、アーティストの名称は、冠詞「Ｔｈｅ」（「ＴＨＥ」、「ｔｈｅ」）が付されていることが多い。このようなアーティストの曲データファイルについては、本来の名称が「Ｔｈｅ  〜」である場合でも、曲情報データに含まれるアーティスト名には、「ＴＨＥ」が付され、或いは、このような冠詞なしで登録されている場合がある。
【０００７】
このような場合に、例えば、本来のアーティスト名でソートすると、冠詞の異同又は有無によって、同じアーティストのものと判別されず、ソートされない。また、アーティスト名に基づく全曲再生やランダム再生においても、アーティスト名の冠詞の異同又は有無により、同じアーティストの曲であっても再生されないこととなる。
【０００８】
上述したように冠詞の有無や冠詞の単なる表記上の違いによって、同一アーティストの曲データファイルがソート、管理できないというのは、ユーザにとって非常に煩わしい。本発明は、従来技術における上記問題を解決することを目的とする。
【課題を解決するための手段】
【０００９】
上記目的を達成するため、本発明の第１の態様における再生装置は、
アーティスト名を含む曲情報ファイルを記録する記録部と、
前記記録部に記録されたアーティスト名について、先頭の「ＴＨＥ」、「Ｔｈｅ」又は「ｔｈｅ」を除いた名称に基づいてソートするシステム制御部と、
を備える。
【００１０】
上記目的を達成するため、本発明の第２の態様における再生方法は、
アーティスト名を含む曲情報ファイルを記録するステップと、
記録されたアーティスト名について、先頭の「ＴＨＥ」、「Ｔｈｅ」又は「ｔｈｅ」を除いた名称に基づいてソートするステップと、
を備える。
【発明の効果】
【００１１】
本発明によれば、アーティスト名の冠詞「ＴＨＥ」、「Ｔｈｅ」又は「ｔｈｅ」等の有無に拘わらずに同一のアーティストについてソート可能な再生の技術が提供される。
【発明を実施するための最良の形態】
【００１２】
本発明に係る実施の形態について、以下、図面を参照して詳細に説明する。なお、以下に示す実施の形態は一例であり、これに限定されない。
【００１３】
本発明の実施の形態に係る再生装置の構成を図１に示す。図１に示す再生装置１０は、システム制御部１２と、記録再生部１４と、ＤＡＣ（Digital to Analog Converter）１８と、表示部２０と、操作部２２と、を備える。
【００１４】
システム制御部１２は、再生装置１０の動作を統括的に制御する。
【００１５】
記録再生部１４は、ハードディスク、フラッシュメモリ等の記録媒体２４にデジタルオーディオデータファイルを記録し、また、記録されたデータファイルを読出し、デコードする。オーディオファイルのフォーマットは、ＭＰ３、ＡＩＦＦ（Audio Interchange File Format）、ＷＡＶ（Word Audio Video）、ＭＩＤＩ（Musical Instruments Digital Interface）等いかなるものであってもよい。記録媒体２４に保存されたデータには識別番号が付与され、管理データにおいて、記録媒体２４上の開始アドレスと対応づけて管理される。
【００１６】
記録再生部１４は、また、記録媒体２４に記録されたデータファイルを管理する曲情報ファイルを記録する。曲情報ファイルは、記録媒体２４へのデータファイルの登録及び削除の際に更新され、例えば、ＣＤのリッピング時に、ＴＯＣ情報を元にデータベース、または、ネットワークインターフェースを経由して外部サーバから取得される。曲情報ファイル（例えばテキストファイル“ＩＮＤＥＸ．ＴＸＴ”で保存）は、例えばリッピング時に更新される。曲情報ファイルは、ユーザの編集作業によって変更されてもよい。
【００１７】
ＤＡＣ１８は、記録再生部１４がデコードしたデジタルオーディオデータをアナログオーディオ信号に変換する。ＤＡＣ１８から出力されたアナログオーディオ信号は、出力端子２６を介してスピーカ等の機器に出力される。ＤＡＣ１８と出力端子２６との間には、例えば増幅部が設けられ、増幅したアナログオーディオ信号を出力する。出力先がデジタルデータを受信可能な場合には、ＤＡＣ１８を設けなくとも良い。
【００１８】
表示部２０は、液晶表示装置等から構成される。表示部２０は、現在再生しているトラック、チャプタ、ファイルの再生時間、操作内容等の操作に必要な情報を表示する。
【００１９】
操作部２２は、例えば、操作ボタン等を含んで構成され、ユーザの操作入力を受け付ける。
【００２０】
以下、本実施の形態における、曲情報ファイルのアーティスト名によるソート時の動作について図面を参照して詳細に説明する。図２に、動作のフローを説明する図を示す。
【００２１】
なお、以下に示す本実施例において、曲情報ファイルには、図３に示す内容の情報が格納されているものとする。曲情報ファイルには、６件の曲に関する情報が格納されており、ファイル名、ジャンル、アーティスト名、アルバム名、タイトルの情報から構成されている。
【００２２】
まず、システム制御部１２は、ソートモードが選択されているか否かを判別する（図２、ステップＳ１１）。ソートモードが選択されていなければ（ステップＳ１１：Ｎｏ）、ファイルソート処理を終了する。
【００２３】
ソートモードが選択されているとき（ステップＳ１１：Ｙｅｓ）、システム制御部１２は、曲情報ファイルを参照して、図示しない内蔵メモリにソートリストを作成する。また、システム制御部１２は、アーティスト名によるソートか否か判別する（ステップＳ１２）。
【００２４】
アーティスト名でのソートならば（ステップＳ１２：Ｎｏ）、アーティスト名以外のジャンル、アルバム名、タイトル等でのソート処理を行い（ステップＳ２３）、ファイルソート処理を終了する。
【００２５】
アーティスト名でのソートならば（ステップＳ１２：Ｙｅｓ）、システム制御部１２は、例えばアルファベット順にアーティスト名の読出しを行う（ステップＳ１３）。
【００２６】
システム制御部１２は、読み出したアーティスト名について、１文字目がアルファベット‘Ｔ’（‘Ｔ’または、‘ｔ’）か否か判別する（ステップＳ１４）。
アーティスト名の１文字目がアルファベット‘Ｔ’ならば（ステップＳ１４：Ｙｅｓ）、次いで、システム制御部１２は、アーティスト名の２文字目がアルファベット‘Ｈ’（‘Ｈ’または、‘ｈ’）か否か判別する（ステップＳ１５）。
アーティスト名の２文字目がアルファベット‘Ｈ’ならば（ステップＳ１５：Ｙｅｓ）、次いで、システム制御部１２は、アーティスト名の３文字目がアルファベット‘Ｅ’（‘Ｅ’または、‘ｅ’）か否か判別する（ステップＳ１６）。
アーティスト名の３文字目がアルファベット‘Ｅ’ならば（ステップＳ１６：Ｙｅｓ）、さらに、システム制御部１２は、アーティスト名の４文字目が空白（‘  ’）か否か判別する（ステップＳ１７）。
アーティスト名の４文字目が空白ならば（ステップＳ１７：Ｙｅｓ）、システム制御部１２は、アーティスト名の“ＴＨＥ”（“ｔｈｅ”、“Ｔｈｅ”）を除いた文字列をアーティスト名に設定する（ステップＳ１８）。このようにして、“ＴＨＥ”（“ｔｈｅ”、“Ｔｈｅ”）を冠詞として先頭に有するアーティスト名について、冠詞を除いた名称がソート対象として設定される。
【００２７】
次いで、システム制御部１２は、先頭の“ＴＨＥ”を除いたアーティスト名について、ソートリストにアーティスト名と同じアーティスト名があるか否か判別する（ステップＳ１９）。同じアーティスト名があれば（ステップＳ１９：Ｙｅｓ）、アーティスト名による検索が終了（読み出すアーティスト名がある）か判別する（ステップＳ２１）。
このようにして、アーティスト名に「ＴＨＥ」（／「Ｔｈｅ」／「ｔｈｅ」等）のあり／なしに関係なく、同じアーティスト名として扱うこととなる。
【００２８】
同じアーティスト名がない場合（ステップＳ１９：Ｎｏ）、ソートリストに読み出したアーティスト名を登録する（ステップＳ２０）。次いで、アーティスト名による検索が終了（読み出すアーティスト名がある）か判別する（ステップＳ２１）。
【００２９】
アーティスト名による検索が終了ならば（ステップＳ２１：Ｙｅｓ）、ソートリストに登録されたアーティスト名をアルファベット順にソートし（ステップＳ２２）、ファイルソート処理を終了する。
【００３０】
アーティスト名検索が終了していなければ（ステップＳ２１：Ｎｏ）、アーティスト名読出し処理に戻る（ステップＳ１３）。
【００３１】
アーティスト名が先頭に“ＴＨＥ”（“ｔｈｅ”、“Ｔｈｅ”）を有しない場合（ステップＳ１４：Ｎｏ、ステップＳ１５：Ｎｏ、ステップＳ１６：Ｎｏ、ステップＳ１７：Ｎｏ）、通常のアーティスト名によるソート処理を行う（ステップＳ１９以降）。
【００３２】
図４に、図３に示す曲情報ファイルについて、アーティスト名でソートした場合の結果を示す。図４の結果に示されるように、“Ｔｈｅ  ＸＹＺ”と“ＸＹＺ”とは、アーティスト名の前に「Ｔｈｅ」のあり／なしに関係なく同じアーティスト名と判断され、アーティスト“ＸＹＺ”の再生ファイル数が５曲とカウントされる。
【００３３】
以上説明したように、本実施の形態によれば、記録媒体２４に記録された曲情報ファイルに基づいてデータファイルの再生を行うとき、アーティスト名の前に「ＴＨＥ」（／「Ｔｈｅ」／「ｔｈｅ」等）の有無に関係なく同じアーティストとしてソートすることができる。
これにより、ユーザは、冠詞の有無や冠詞の単なる表記上の違いによって、同一アーティストの曲データファイルがソート、管理できないという、煩わしさから解放されることとなる。
【図面の簡単な説明】
【００３４】
【図１】本発明の実施の形態にかかる再生装置の構成を示すブロック図である。
【図２】本発明の実施の形態にかかる再生装置のアーティスト名によるソート処理のフローを示す図である。
【図３】実施例における記録媒体に記録された曲情報ファイルのリストである。
【図４】実施例におけるアーティスト名によるソート処理された曲情報ファイルのリストである。
【符号の説明】
【００３５】
１０：再生装置、１２：システム制御部、１４：記録再生部、１８：ＤＡＣ、２０：表示部、２２：操作部、２４：記憶媒体
【図１】
2009004007.tif 000003
【図２】
2009004007.tif 000004
【図３】
2009004007.tif 000005
【図４】
2009004007.tif 000006